(57)【要約】【課題】遊技成績が把握し易く、遊技演出が良好に行えるようになる遊技機の提供。【解決手段】スロットマシン１の幅方向に沿って延びる溝形状に形成された受け皿30に対し、払い出し口５を含む内側の空間とその外側の空間とを仕切る仕切壁部31を設け、且つ、この仕切壁部31を幅方向に沿って多段に位置変更可能に形成する。これにより、メダルと景品との交換レートに応じて仕切壁部31の位置を設定し、受け皿30がメダルで満されている割合と、遊技成績とをほぼ一致させる。従って、受け皿30が、どの程度メダルで満されているかを見るだけで、おおよその遊技成績が容易に把握でき、遊技演出が良好に行えるようになる。【選択図】図２
2008100115.tif 000002
【特許請求の範囲】
【請求項１】
払い出し口から払い出されるゲーム開始媒体を受ける受け皿を備え、前記受け皿は、前記払い出し口を含む内側の空間とその外側の空間とを仕切る仕切壁部を備え、前記仕切壁部は、遊技機の幅方向に沿って多段に位置変更可能に設けられ、且つ、複数段階の位置に固定可能に形成された遊技機であって、
前記受け皿は、遊技機の幅方向に沿って延びる溝形状に形成された本体を備え、
前記本体は、底面と、二つの側壁とを備え、
前記二つの側壁の互いに対向する側面には、遊技機の幅方向に延びるガイド溝が形成され、前記ガイド溝の内部には、当該ガイド溝に応じた長さのガイドレールが設けられ、一方の側壁におけるガイド溝が形成されている方の側面には、仕切壁部を固定すべき位置に対応して係止穴が設けられ、
前記仕切壁部は、二つの側壁に対向する端面から突出してガイド溝の内部に配置される摺動耳部を備え、
前記摺動耳部は、ガイドレールを挿通させる摺動孔を備え、
前記仕切壁部の内部には、係止穴に挿入可能な先端部分と指を係合させる指掛け部とを有しており先端部分を係止穴に挿入したり係止穴から抜いたりすることができるように摺動可能なラッチ部材と、先端部分が係止穴に挿入されるようにラッチ部材を付勢するコイルスプリングとを備え、
前記指掛け部は、仕切壁部に設けられた挿通孔から外部へ突出し、
前記指掛け部に指を係合し、コイルスプリングの弾性力に抗してラッチ部材を移動させ、ラッチ部材の先端部分を係止穴から抜くと、仕切壁部が摺動可能な状態になるように形成されていることを特徴とする遊技機。
【発明の詳細な説明】
【技術分野】
【０００１】
本発明は、払い出し口から払い出されるメダル等のゲーム開始媒体を受ける受け皿を備えた遊技機に関する。
【背景技術】
【０００２】
従来から、スロットマシンやパチンコ遊技機等の遊技機は、人々に娯楽を提供するための手段として利用されている。このうち、スロットマシンは、複数種類の図柄が記されるとともに回転駆動可能に設けられた複数の回転リールを備えた遊技機である。このような遊技機では、メダルを投入して遊技を開始し、回転駆動させた複数の回転リールを適宜停止させ、これらの回転リールに表示された図柄が特定の組合せとなったときに入賞となる。そして、入賞すると、遊技機に設けられている払い出し口から、入賞した役に応じた数のメダルが遊技者へ払い出されるようになっている。
そして、メダルの払い出しを受けた遊技者は、メダルと景品との間に設定された交換レートに基づいて、メダルを景品に交換することができる。ここで、メダルと景品との交換レートは、遊技場によって相違するとともに、時期や状況によっても異なる値に設定される。
【０００３】
このような遊技機の下端縁近傍には、払い出し口から払い出されるメダルを受ける受け皿が設けられている。
受け皿としては、遊技機の前面パネルと一体成形された合成樹脂製のものが一般的である。また、受け皿は、遊技機の幅方向に沿って延びる溝形状に形成され、所定容積を備えた容器となっている（例えば、特許文献１参照。）。
そして、受け皿を満たすメダルの枚数は、ほぼ所定の数量となる。このため、受け皿がどの程度メダルで満されているかを勘案すれば、メダルのおおよその枚数が把握できるので、遊技者は、メダルの枚数を知るための目安として受け皿を有効利用することができる。
【特許文献１】特開２０００−８４１４４号公報（図２、図３）
【発明の開示】
【発明が解決しようとする課題】
【０００４】
前述のような遊技機では、遊技者があげた遊技成績が同じでも、メダルと景品との交換レートが相違すれば、獲得したメダルの枚数が相違するので、受け皿がどの程度メダルで満されているかだけでは、遊技成績が把握できない。例えば、交換レートが高い場合には、受け皿の容積に対してメダルが占める容積が少ないからといって、悪い成績であることにはならない。
このため、遊技者が、遊技に勝っているにもかかわらず、負けていると思い込み、遊技をつまらなく感じるという問題、換言すれば、遊技成績が把握しにくく、遊技演出が良好に行えないという問題がある。
【０００５】
そこで、本発明は、上記した従来の技術の有する問題点に鑑みてなされたものであり、その目的とするところは、遊技成績が把握し易く、遊技演出が良好に行えるようになる遊技機を提供することである。
【課題を解決するための手段】
【０００６】
本発明は、上記した各目的を達成するためになされたものであり、本発明の特徴点を図面に示した発明の実施の形態を用いて、以下に説明する。
なお、符号は、発明の実施の形態において用いた符号を示し、本発明の技術的範囲を限定するものではない。
（第１の発明）
（特徴点）
第１の発明は、次の点を特徴とする。
すなわち、第１の発明は、その幅方向に沿って延びる溝形状に形成された受け皿(30,50)を備えた遊技機(１)であって、前述の受け皿(30,50)が、当該遊技機(１)の払い出し口(５)から払い出されるゲーム開始媒体を受けるものであり、この受け皿(30,50)には、前記払い出し口(５)を含む内側の空間とその外側の空間とを仕切る仕切壁部(31,51)が備えられ、この仕切壁部(31,51)が当該幅方向に沿って多段に位置変更可能に設けられていることを特徴とする。
【０００７】
この際、前記仕切壁部としては、遊技機(１)から分離不可能とされ、且つ、遊技機(１)の幅方向に沿って摺動可能に設けられるとともに、複数の異なる位置のうちの一つに選択的に固定可能となった摺動式仕切壁部(50)、又は、遊技機(１)に着脱可能とされ、且つ、複数の異なる位置のうちの一つに取り付け可能となった着脱式仕切壁部(31)等が採用できる。
（作用）
本発明によれば、メダル等のゲーム開始媒体と景品との交換レートに応じて仕切壁部(31,51)の位置を設定することが可能となるので、交換レートに応じた位置に仕切壁部(31,51)を配置することにより、受け皿(30,50)がゲーム開始媒体で満されている割合と、遊技成績とがほぼ一致するようになり、受け皿(30,50)が、どの程度ゲーム開始媒体で満されているかを見るだけで、おおよその遊技成績が容易に把握でき、遊技演出が良好に行えるようになる。
【０００８】
（第２の発明）
（特徴点）
第２の発明は、前述した第１の発明において、次の特徴点を備えているものである。
すなわち、第２の発明は、当該遊技機(１)として、入賞すると、前記ゲーム開始媒体としてのメダルを遊技者に払い出しするスロットマシンが採用され、前記受け皿(30,50)は、払い出されたメダルを受けるものであり、前記仕切壁部(31,51)は、収納メダル枚数が変更可能なように、複数段階の位置に固定可能に形成されていることを特徴とする。
（作用）
遊技機としてのパチンコ遊技機では、受け皿の端部近傍に、パチンコ玉を発射するためのハンドルが設けられ、このハンドルにより受け皿の幅寸法が短く制限されるので、内部を仕切られた受け皿は、容量不足となり、有効利用が困難となる。一方、スロットマシンでは、受け皿の幅寸法を制限するハンドル等の装置が一切ないので、受け皿の内部を仕切っても、受け皿が容量不足とならない。
【０００９】
そこで、本発明によれば、スロットマシン(１)の受け皿(30,50)を仕切壁部(31,51)で仕切るので、受け皿(30,50)は、内部が仕切壁部(31,51)で仕切られても、必要な容量が充分確保され、受け皿(30,50)としての機能が損なわれず、その有効利用が可能となる。
（第３の発明）
（特徴点）
第３の発明は、前述した第１又は第２の発明において、次の特徴点を備えているものである。
すなわち、第３の発明は、前記仕切壁部(51)が、遊技者による位置変更操作が可能となっていることを特徴とする。
【００１０】
このような第３の発明では、前記仕切壁部として、前述の摺動式仕切壁部(51)を採用するのが好ましい。
（作用）
本発明によれば、遊技者が自分の好みの位置に仕切壁部(51)を固定できるので、遊技場側が切り替えたモードに対応した位置に仕切壁部(51)を固定できるだけでなく、自分が目標とする成績に対応した枚数のメダルを収納できる位置に仕切壁部(51)を固定することもでき、当該位置に仕切壁部(51)を固定すれば、遊技者が目標とする遊技成績の達成率を容易に把握でき、遊技者自身が遊技を演出でき、この点からも、遊技演出が良好に行えるようになる。
【００１１】
（第４の発明）
（特徴点）
第４の発明は、前述した第１又は第２の発明において、次の特徴点を備えているものである。
すなわち、第４の発明は、前記仕切壁部(31)が、遊技者による位置変更操作が不可能となっていることを特徴とする。
（作用）
遊技者に位置変更操作を行わせると、交換レートに対応していない誤った位置に仕切壁部(31)が固定される可能性が高くなり、遊技場の意図する遊技演出が良好に行えない場合が生じる。
【００１２】
しかしながら、本発明によれば、遊技場側の従業員等が仕切壁部(31)の位置変更操作を行うので、メダル等のゲーム開始媒体と景品との交換レートに応じた位置に、ほぼ間違いなく仕切壁部(31)が固定されるようになり、遊技場の意図する遊技演出が良好に且つ確実に行えるようになる。
【発明の効果】
【００１３】
本発明は、以上のように構成されているので、以下に記載されるような効果を奏する。
（第１の発明）
第１の発明によれば、次のような効果を奏する。
すなわち、第１の発明によれば、メダル等のゲーム開始媒体と景品との交換レートに応じて仕切壁部の位置を設定することが可能となるので、交換レートに応じた位置に仕切壁部を配置することにより、受け皿がゲーム開始媒体で満されている割合と、遊技成績とがほぼ一致するようになり、受け皿が、どの程度ゲーム開始媒体で満されているかを見るだけで、おおよその遊技成績が容易に把握でき、遊技演出を良好に行うことができる。
【００１４】
（第２の発明）
第２の発明によれば、上記した第１の発明の効果に加え、次のような効果を奏する。
すなわち、第２の発明によれば、スロットマシンの受け皿を仕切壁部で仕切るので、受け皿は、内部が仕切壁部で仕切られても、必要な容量が充分確保でき、受け皿としての機能が損なわれず、内部を仕切られた受け皿でも有効利用できる。
（第３の発明）
第３の発明によれば、上記した第１又は第２の発明の効果に加え、次のような効果を奏する。
【００１５】
すなわち、第３の発明によれば、遊技者が自分の好みの位置に仕切壁部を固定できるので、遊技場側が切り替えたモードに対応した位置に仕切壁部を固定できるだけでなく、自分が目標とする成績に対応した枚数のメダルを収納できる位置に仕切壁部を固定することもでき、当該位置に仕切壁部を固定すれば、遊技者が目標とする遊技成績の達成率を容易に把握でき、遊技者自身が遊技を演出でき、この点からも、遊技演出を良好に行うことができる。
（第４の発明）
第４の発明によれば、上記した第１又は第２の発明の効果に加え、次のような効果を奏する。
【００１６】
すなわち、第４の発明によれば、遊技場側の従業員等が仕切壁部の位置変更操作を行うので、メダル等のゲーム開始媒体と景品との交換レートに応じた位置に、ほぼ間違いなく仕切壁部が固定されるようになり、遊技場の意図する遊技演出を良好に且つ確実に行うことができる。
【発明を実施するための最良の形態】
【００１７】
以下、本発明の実施の形態を図面に基づき説明する。
（第１実施形態）
図１ないし図５は、本発明の第１実施形態を示すものである。図１は、本第１実施形態に係る遊技機を示す正面図、図２は、本第１実施形態に係る受け皿を示す拡大斜視図、図３は、前記受け皿を示す拡大正面図、図４は、前記受け皿を示す拡大平面図、図５は、本第１実施形態に係る仕切壁部を示す図であって、図２のＶ−Ｖ線における拡大断面図である。
本第１実施形態に係る遊技機であるスロットマシン１は、遊技における入賞確率が互いに異なる複数の遊技モードが段階的に設定され、遊技場側でモードの切り替えが可能となった遊技機である。また、スロットマシン１は、図１に示すように、直方体の箱状に形成された筐体２を備えている。この筐体２は、３個の回転リール3Aが横並びに設けられたリールユニット３を内蔵したものである。筐体２の前面部分には、そのほぼ中央に図柄表示窓20Aを備えた前面パネル20が当該前面部分を覆うように設けられている。
【００１８】
また、図柄表示窓20Aは、３個すべての回転リール3Aの回転が停止した際に、縦横３個ずつ配列された計９個の図柄が表示できるように形成されている。
具体的には、左側の回転リール3Aの回転が停止すると、図柄表示窓20Aの左側部分の上段、中段及び下段にそれぞれ１個ずつ、合計３個の図柄が表示されるようになっている。中央及び右側の回転リール3Aについても同様に、上段、中段及び下段にそれぞれ１個ずつ、合計３個の図柄が表示されるようになっている。これにより、３個すべての回転リール3Aの回転が停止すると、図柄表示窓20Aには、縦横各３個の計９個からなる図柄が表示可能となっている。
【００１９】
この際、図柄表示窓20Aに表示された縦横各３個の計９個からなる図柄の配列パターンが、いわゆる「出目」である。
また、図柄表示窓20Aの下方には、貯留メダルを投入するためのベットスイッチ21や、貯留メダルを払い出すための精算スイッチ22や、回転リール3Aの回転を開始させるためのスタートスイッチ４や、回転リール3Aの回転を停止させるためのストップスイッチ24などが設けられている。
また、図柄表示窓20Aの右方には、液晶ディスプレイ25が設けられ、また、図柄表示窓20Aの上方には、演出用ランプ26が設けられている。
【００２０】
また、前面パネル20の下部には、払い出し口５が設けられている。この払い出し口５の図１中右方には、演出音を発するスピーカ29が設けられ、払い出し口５の下方には、受け皿30が設けられている。
受け皿30は、払い出し口５から払い出されるゲーム開始媒体であるメダルを受けるものである。受け皿30には、図２〜図４に示すように、払い出し口５を含む内側の空間と、その外側の空間とを仕切る、換言すると、払い出し口５側の空間の端部となる位置に配置される仕切壁部31が設けられている。そして、この仕切壁部31は、スロットマシン１の幅方向に沿って多段に位置変更可能に設けられ、且つ、複数段階の位置に固定可能に形成されている。このような仕切壁部31により、受け皿30は、その収納メダル枚数が変更可能となっている。
【００２１】
具体的には、前面パネル20の下端縁近傍の部分は、図２〜図４の如く、スロットマシン１の幅方向に沿って延びる、断面Ｕ字形の溝形状に形成され、この部分が受け皿30の本体32となっている。
断面Ｕ字形の本体32の二つの側壁33A，33Bのうちの一方である側壁33Aは、前面パネル20から突出している。
この側壁33Aは、仕切壁部31が固定可能となった複数段階の位置に、それぞれ挿通孔34が設けられたものとなっている。これらの挿通孔34の各々は、側壁33Aを貫通する丸孔であるとともに、内部に後述する押しボタン部41が挿入可能となっている。
【００２２】
本体32の底面は、仕切壁部31が固定可能となった複数段階の位置に、それぞれ複数の係止孔35（図４にのみ示す。）が設けられたものとなっている。この係止孔35の各々は、長方形の一辺の中央を突出させた形状、換言すれば漢字の「凸」字形の平面形状を有しているとともに、内部に後述する鉤部42が挿入可能となっている。
一方、仕切壁部31は、断面Ｕ字形の本体32の溝形に応じた側面形状を有する部品であり、本体32の内部に嵌合可能となっている。仕切壁部31の側面の外法は、本体32の内法よりも若干小さくされ、これにより、仕切壁部31の本体32への嵌め込みが容易に行えるようになっている。
【００２３】
仕切壁部31の二つの側面31A，31Bのうち、払い出し口５側の側面31Aは、両端縁が側壁33A，33Bの各表面と連続するように突出している。
仕切壁部31としては、例えば、図５に示すように、前述の押しボタン部41及び鉤部42を有するラッチ部材40が、図５中左右に摺動可能に設けられた内部構造を備えたものが採用できる。このような仕切壁部31の内部には、ラッチ部材40を摺動方向に沿うように案内する一対のガイド片35A，35Bと、ラッチ部材40を図５中右方へ付勢するＬ字形に折れ曲がった板バネ36とが設けられている。
ラッチ部材40は、図５の如く、長方形の平板状に形成された基部43を備えたものとなっている。ラッチ部材40には、基部43の図５中右上の角隅部から図５中右側へ延びた押しボタン部41と、基部43の図５中下方の両角隅部から、それぞれ図５中下側へ延びた鉤部42とが設けられている。
【００２４】
また、基部43には、当該基部43を貫通するとともに、摺動方向に延びる長方形のガイド孔44が形成されている。ガイド孔44の内部には、仕切壁部31側に設けられた一対のガイド片35A，35Bのうち、図５中下方のガイド片35Bが挿通されている。基部43は、図５中上方の端面がガイド片35Aに案内されるとともに、ガイド孔44の内面がガイド片35Bに案内されるようになっている。
押しボタン部41は、基部43側の部分が平板状に形成されるとともに、先端部分が円柱状に形成されている。押しボタン部41の先端部分は、仕切壁部31の図５中右側の端面37に形成された円形の挿通孔37Aに挿通され、端面37に対して突没可能となっている。
【００２５】
鉤部42は、Ｌ字形の平面形状を有するものとなっている。鉤部42の先端部分は、仕切壁部31の図５中下側の端面38に形成された長方形の挿通孔38Aに挿通され、端面38から突出している。そして、押しボタン部41を押圧すると、鉤部42は、図５中左側へ移動するようになっている。
ここで、本体32の所定位置に仕切壁部31を嵌合させた状態にすると、仕切壁部31の押しボタン部41は、本体32の挿通孔34に挿入可能な位置に配置されるようになっている。そして、押しボタン部41を押圧して、仕切壁部31の内部に埋没させ、鉤部42を図５中左側へ移動させると、仕切壁部31の鉤部42は、本体32の係止孔35に挿入可能な位置に配置されるようになっている。
【００２６】
押しボタン部41の先端部分が端面37から突出する突出寸法は、本体32の挿通孔34の全長よりも小さくされている。これにより、押しボタン部41は、本体32の挿通孔34に挿入しても、反対側の面から突出しないようになっている。
このため、本体32の挿通孔34に挿入した押しボタン部41を押し返すには、挿通孔34に挿入可能となる棒状の工具、例えば、スクリュードライバー（以下、「ドライバー」と略す。）を用意し、ドライバーの先端を挿通孔34に挿入して、ボタン部41の押圧を行うようになっている。
また、ラッチ部材40を付勢する板バネ36としては、ドライバー等の工具を利用しなければ、ボタン部41の押圧が困難となるように、充分強力な弾性力を備えたものが採用されている。これにより、工具を持たない遊技者には、ボタン部41の押圧が行えないようになっている。
【００２７】
このような本実施形態では、次のように仕切壁部31の着脱を行う。
すなわち、受け皿30の本体32に対して仕切壁部31の嵌合を開始すると、仕切壁部31が本体32の内部に押し込まれるにしたがい、仕切壁部31の押しボタン部41は、本体32に設けられた側壁33Aの傾斜した側面に案内されながら押圧され、ついには、仕切壁部31の内部に埋没する。これにより、仕切壁部31の鉤部42は、図５中左側へ移動、換言すれば、本体32の係止孔35に挿入可能な位置に移動する。この状態で、仕切壁部31を下降させ、仕切壁部31の鉤部42を本体32の係止孔35に挿通させる。
そして、仕切壁部31を更に深い位置まで下降させ、押しボタン部41を本体32側に設けた挿通孔34の深さレベルまで到達させると、板バネ36に付勢された押しボタン部41は、本体32から突出して挿通孔34に入り込む。これと同時に、押しボタン部41とリンクしている鉤部42は、図５中右側へ移動し、係止孔35の周囲を囲む本体32の底面部分に係止される。
【００２８】
この状態では、仕切壁部31を上方に引き抜こうとしても、鉤部42が係止され、本体32から仕切壁部31を引き抜くことが不可能となっている。また、この状態においては、係止孔35の周囲を囲む本体32の底面部分に鉤部42が係止されるとともに、挿通孔34の内周面に押しボタン部41が係止されているので、仕切壁部31は、スロットマシン１の幅方向に対する摺動も不可能となっている。
一方、仕切壁部31を取り外すにあたり、本体32の挿通孔34に、ドライバー等の工具の先端を挿通孔34に挿入して、ボタン部41を押圧する。これにより、本体32の底面部分による鉤部42の係止が解除されるとともに、挿通孔34の内周面による押しボタン部41の係止が解除されるので、この状態で、仕切壁部31を上方に引き抜けば、本体32から仕切壁部31を取り外すことができる。
【００２９】
このような仕切壁部31を備えた受け皿30は、景品との交換レート又は遊技モードに応じて、仕切壁部31を取り外したままの状態、或いは、図２に示す位置Ａ及び位置Ｂのいずれかの位置に仕切壁部31を取り付けた状態で利用できる。
例えば、仕切壁部31を取り外した状態で、受け皿30を使用する場合、受け皿30には、約７５０枚までのメダルが収納可能となる。
図２に示す位置Ｂに仕切壁部31を取り付けた状態で、受け皿30を使用する場合、受け皿30には、約５００〜５５０枚までのメダルが収納可能となる。この場合、仕切壁部31の図２中右側の部分は、携帯電話機又は煙草の置き場所として利用することができる。
【００３０】
図２に示す位置Ａに仕切壁部31を取り付けた状態で、受け皿30を使用する場合、受け皿30には、約３００〜３５０枚までのメダルが収納可能となる。この場合、仕切壁部31の図２中右側の部分は、小物入れとして利用できる。
前述のような本実施形態によれば、次のような効果が得られる。
すなわち、払い出し口５を含む内側の空間とその外側の空間とを仕切る仕切壁部31を、スロットマシン１の幅方向に沿って多段に位置変更可能とし、メダルと景品との交換レートに応じて仕切壁部31の位置を設定するようにしたので、受け皿30がメダルで満されている割合と、遊技成績とがほぼ一致するようになり、受け皿30が、どの程度メダルで満されているかを見ることで、遊技者がおおよその遊技成績を容易に把握することができる。
【００３１】
従って、遊技者が遊技に勝っている場合には、勝っていることを確実に遊技者に把握させることができるので、スロットマシン１に設定した遊技演出により遊技を楽しいと遊技者に感じさせることができ、遊技演出を有効且つ良好に行うことができる。
また、仕切壁部31を複数段階の位置に固定可能とし、受け皿30の収納メダル枚数を変更可能としたので、遊技場側でスロットマシン１の遊技モードを切り替える際に、切り替えられた遊技モードに対応した位置に仕切壁部31を配置することができる。例えば、入賞確率が最も低い遊技モードに切り替える際には、受け皿30の容積が最も小さくなる位置Ａに仕切壁部31を配置することができ、逆に、入賞確率が最も高いモードに切り替える際には、受け皿30の容積が最も大きくなるように、受け皿30から仕切壁部31を取り外してしまうこともできる。
【００３２】
これにより、受け皿30におけるメダルの占める割合と遊技成績とがほぼ一致し、受け皿30が、どの程度メダルで満されているかを見るだけで、遊技者は遊技成績を容易に把握することができ、遊技演出を良好に行うことができる。
さらに、遊技者による仕切壁部31の位置変更操作を不可能にし、遊技場側の従業員等が仕切壁部31の位置変更操作を行うようにしたので、メダルと景品との交換レート又は遊技モードに応じた適切な位置に、ほぼ間違いなく仕切壁部31が固定されるようになるうえ、遊技者による位置変更操作が防止されるようになり、遊技場の意図する遊技演出を良好に且つ確実に実現することができる。
【００３３】
（第２実施形態）
図６及び図７は、本発明の第２実施形態を示すものである。図６は、本第２実施形態の要部を示す拡大斜視図、図７は、図６のVII−VII線における拡大断面図である。
本第２実施形態は、前記第１実施形態における着脱式の仕切壁部31を、スロットマシン１の幅方向に沿って摺動可能に設けられた摺動式の仕切壁部51としたものである。
すなわち、本第２実施形態に係る受け皿50は、図６及び図７に示すように、前記第１実施形態と同様に、両側に側壁33A，33Bが設けられた断面Ｕ字形の本体32を備えたものとなっている。側壁33A，33Bの互いに対向する側面には、スロットマシン１の幅方向に延びるガイド溝52が形成されている。ガイド溝52の内部には、当該ガイド溝52に応じた長さのガイドレール53が設けられている。また、側壁33Aのガイド溝52が形成されている方の側面には、仕切壁部51を固定すべき位置Ａ，Ｂ，Ｃに対応して係止穴54がそれぞれ設けられている。
【００３４】
仕切壁部51は、本体32側のガイド溝52の内部に配置されるとともに、本体32側のガイドレール53をその内部に挿通させる摺動耳部55を備えたものである。すなわち、摺動耳部55は、仕切壁部51の側壁33A，33Bに対向する端面から突出するものであり、ガイドレール53を挿通させる摺動孔56を備えている。
仕切壁部51の内部機構としては、例えば、図７の如く、先端部分57Aが本体32側の係止穴54に挿入可能となったラッチ部材57が、図７中左右に摺動可能に設けられたものが採用できる。このような仕切壁部51の内部には、ラッチ部材57を摺動方向に沿うように案内するガイド片58A〜58Cと、ラッチ部材57を図７中右方へ付勢するためのコイルスプリング59とが設けられている。
【００３５】
ラッチ部材57は、図７の如く、細長い棒状の部材である。ラッチ部材57の中間部分には、当該ラッチ部材57を操作するために、遊技者等の指と係合させる指掛け部57Bが設けられている。この指掛け部57Bは、仕切壁部51に設けられた挿通孔51Aから外部へ突出している。
ここで、ラッチ部材57は、その先端部分57Aと指掛け部57Bとの間の部分が、一対のガイド片58Aに挟まれて摺動自在に支持され、その後端部分57Cが一対のガイド片58Bに挟まれて摺動自在に支持されている。
また、ラッチ部材57は、指掛け部57Bの図７中下方の部分がガイド片58Cに摺動自在に支持されている。これにより、指掛け部57Bに指を係合させて操作する際に、指掛け部57Bが押圧されても、ラッチ部材57が大きく撓まないようになっている。
【００３６】
ラッチ部材57の後端部分57Cと指掛け部57Bとの中間部には、ラッチ部材57の径方向に広がる鍔部57Dが設けられている。前述のコイルスプリング59は、ラッチ部材57の後端部分57Cから挿通され、後端部分57Cと鍔部57Dとの間に配置されている。そして、コイルスプリング59は、一端が鍔部57Dに当接し、他端が仕切壁部31側のガイド片58Bに当接している。これにより、ラッチ部材57は、コイルスプリング59の弾性力により、図７中右方へ付勢されている。
このような本実施形態では、遊技者は、指掛け部57Bに指を係合し、コイルスプリング59の弾性力に抗して、ラッチ部材57を図７中左方へ移動させ、ラッチ部材57の先端部分57Aを本体32側の係止穴54から抜き、仕切壁部51を摺動可能な状態にする。そして、この状態で、仕切壁部51を摺動させ、位置Ａ〜Ｃのうち、自分の好みの位置に仕切壁部51を移動し、この後、指掛け部57Bから指を離せば、当該位置に仕切壁部51が固定され、これにより、受け皿50の容量調節が完了し、この後、遊技を開始する。
【００３７】
このような本第２実施形態によっても、前記第１実施形態と同様の効果を達成できる他、次のような効果を付加できる。
すなわち、位置Ａ〜Ｃのうち、自分の好みの位置を遊技者が選択し、選択した位置に仕切壁部51を、自分で固定できるようにしたので、遊技場側が切り替えた遊技モードに対応した位置に仕切壁部51を固定できるようになるだけでなく、自分が目標とする成績に対応した枚数のメダルを収納できる位置に仕切壁部51を固定することもでき、当該位置に仕切壁部51を固定すれば、遊技者が目標とする遊技成績の達成率を容易に把握でき、遊技者自身が遊技を演出でき、この点からも、遊技演出を良好に行うことができる。
【００３８】
また、本体32側にガイドレール53を設け、仕切壁部51側に摺動孔56を設け、ガイドレール53を摺動孔56に挿通させ、これにより、仕切壁部51をガイドレール53に沿って摺動可能としたので、遊技者には、仕切壁部51をガイドレール53から取り外すことができず、遊技者が自分で仕切壁部51の位置を変更するようにしても、仕切壁部51の紛失を未然に防止できる。
なお、本発明は、前記実施形態に限定されるものではなく、本発明の目的を達成できる範囲における変形及び改良などをも含むものである。
例えば、摺動式の仕切壁部としては、前記第２実施形態のように、ガイドレールに沿って摺動可能となったものに限らず、溝に沿って摺動可能な摺動耳部を備えた摺動式の仕切壁部でもよい。
【００３９】
すなわち、図８に示すように、開口部分の幅よりも底面の幅の方が広いガイド溝52Aが本体32側に設けられ、このガイド溝52Aの断面形状に対応した摺動耳部55Aを備え、ガイド溝52Aの内部に配置した摺動耳部55Aが、当該ガイド溝52Aに沿って摺動可能となった仕切壁部51Bでもよい。
また、仕切壁部を本体に固定するための仕切壁部固定機構としては、前述の第１及び第２実施形態のように、仕切壁部の内部に摺動可能に設けられたラッチ部材を本体側に係止させて固定を行うものに限らず、仕切壁部を貫通するネジ部材を本体側に螺合させて固定を行うもの等、仕切壁部を複数段階の位置に固定できるものであればよく、仕切壁部固定機構の具体的構造は、実施にあたり適宜選択できる。
【図面の簡単な説明】
【００４０】
【図１】本発明の第１実施形態に係る遊技機を示す正面図である。
【図２】前記第１実施形態に係る受け皿を示す拡大斜視図である。
【図３】前記第１実施形態に係る受け皿を示す拡大正面図である。
【図４】前記第１実施形態に係る受け皿を示す拡大平面図である。
【図５】前記本第１実施形態に係る仕切壁部を示す図であって、図２のＶ−Ｖ線における拡大断面図である。
【図６】本発明の第２実施形態に係る受け皿を示す拡大斜視図である。
【図７】前記第２実施形態を示す図５に相当する図である。
【図８】本発明の変形例を示す図５に相当する図である。
【符号の説明】
【００４１】
１  遊技機としてのスロットマシン
５  払い出し口
30，50  受け皿
31，51  仕切壁部
【図１】
2008100115.tif 000003
【図２】
2008100115.tif 000004
【図３】
2008100115.tif 000005
【図４】
2008100115.tif 000006
【図５】
2008100115.tif 000007
【図６】
2008100115.tif 000008
【図７】
2008100115.tif 000009
【図８】
2008100115.tif 000010